(57)【要約】【課題】本発明は、電圧検知回路及び放電ランプ駆動システムを提供する。【解決手段】本発明の実施形態に係る電圧検知回路は、電圧取得回路と、それぞれ該電圧取得回路と接続される大電圧検知回路および小電圧検知回路とを備える。前記電圧取得回路は、ランプ群に通す交流信号を電圧信号に変換し、前記大電圧検知回路は、前記電圧信号を介して前記ランプ群に通す交流信号が大き過ぎるかどうかを検知し、該交流信号が大き過ぎる場合に大電圧信号を生成し、前記小電圧検知回路は、前記電圧信号を介して前記ランプ群に通す交流信号が小さ過ぎるかどうかを検知し、該交流信号が小さ過ぎる場合に小電圧信号を生成する。また、本発明は、前記電圧検知回路を使用する放電ランプ駆動システムを提供する。【選択図】図３
2007185088.tif 000002
【特許請求の範囲】
【請求項１】
ランプ群に通す交流信号が大き過ぎる又は小さ過ぎるかどうかを検知するための電圧検知回路において、
電圧取得回路と、それぞれ該電圧取得回路と接続される大電圧検知回路および小電圧検知回路とを備え、
前記電圧取得回路は前記ランプ群に通す交流信号を電圧信号に変換するために用いられ、
前記大電圧検知回路は、前記電圧信号を介して前記ランプ群に通す交流信号が大き過ぎるかどうかを検知し、該交流信号が大き過ぎる場合に大電圧信号を生成するために用いられ、該大電圧検知回路は、第一トランジスタを備え、該第一トランジスタは第一コントロール電極、第一電極、及び第二電極を有していて、前記第一コントロール電極は前記電圧取得回路に接続され、
前記小電圧検知回路は、前記電圧信号を介して前記ランプ群に通す交流信号が小さ過ぎるかどうかを検知し、該交流信号が小さ過ぎる場合に小電圧信号を生成するために用いられ、該小電圧検知回路は、第二トランジスタを備え、該第二トランジスタは第二コントロール電極、第三電極、及び第四電極を有していて、前記第二コントロール電極は前記電圧取得回路に接続されている、
ことを特徴とする電圧検知回路。
【請求項２】
前記第一トランジスタの前記第一電極には基準電圧を印加し、前記第二電極は前記大電圧信号を出力するために用いられ、前記第一トランジスタの第一コントロール電極は前記第一電気抵抗を介して前記電圧取得回路に接続され、前記第一トランジスタの前記第一コントロール電極と第二電極との間に第二電気抵抗を接続したことを特徴とする請求項１に記載の電圧検知回路。
【請求項３】
前記第二トランジスタの前記第四電極は接地し、前記第三電極は前記小電圧信号を出力するために用いられ、前記第二トランジスタの第二コントロール電極は前記第三電気抵抗を介して前記電圧取得回路に接続され、前記第二トランジスタの前記第二コントロール電極と第三電極との間に第四電気抵抗を接続したことを特徴とする請求項１に記載の電圧検知回路。
【請求項４】
前記電圧取得回路は、第一端が前記ランプ群に通す交流信号を受信する第一コンデンサ、第二コンデンサ、及び半波整流回路を備え、
前記第二コンデンサは、第一端が前記第一コンデンサの第二端に接続され、第二端が接地していて、
前記半波整流回路は、第一端が接地していて、第二端が前記第一コンデンサの第二端と接続され、第三端が前記大電圧検知回路及び小電圧検知回路に接続されていることを特徴とする請求項１に記載の電圧検知回路。
【請求項５】
ランプ群を駆動するための放電ランプ駆動システムにおいて、
前記請求項１〜４のうちのいずれか一項に記載の電圧検知回路と、入力した直流信号を交流信号に変換するための駆動・スイッチ回路と、該駆動・スイッチ回路と接続されていて、前記交流信号を前記ランプを駆動するための交流信号に変換する変圧器回路と、
を備えていることを特徴とする放電ランプ駆動システム。
【請求項６】
前記放電ランプ駆動システムは、前記電圧検知回路及び前記駆動・スイッチ回路と接続されていて、前記大電圧信号又は小電圧信号によって前記駆動・スイッチ回路を制御するための保護回路を更に備えていることを特徴とする請求項５に記載の放電ランプ駆動システム。
【発明の詳細な説明】
【技術分野】
【０００１】
本発明はランプ駆動システムに係り、特に電圧検知回路及び該電圧検知回路を用いる放電ランプ駆動システムに関するものである。
【背景技術】
【０００２】
現在の平面表示装置において、放電ランプ、特に冷陰極蛍光ランプがバックライト装置の光源として使用されていることは多い。冷陰極蛍光ランプはインバーターにより駆動し、該インバーターはランプ管に交流電流を供給する。該交流電流が大き過ぎる場合、ランプ管が損傷される恐れがあるが、該交流電流が小さ過ぎる場合、ランプ管が起動されないという課題がある。従って、従来の放電ランプ駆動システムの回路には、電圧検知回路及び保護回路を設ける必要がある。
【０００３】
図１は従来の第一のランプ駆動システム１０の概略図である。該放電ランプ駆動システム１０は駆動・スイッチ回路１００と、変圧器回路１１０と、保護回路１２０と、電圧検知回路１３０と、を含む。該電圧検知回路１３０において、コンデンサＣ１、Ｃ２、Ｃ３によって変圧器回路１１０からランプ群１４０への交流信号を電圧信号に変換し、該電圧信号は半波整流回路Ｄ１の半波整流作用により、保護回路１２０に送信するための大電圧信号に変換される。しかし、上述した回路構成は電圧が小さ過ぎる際の保護を実現できない。
【０００４】
図２は従来の第二のランプ駆動システム１０’の概略図である。該放電ランプ駆動システム１０’の電圧検知回路１３０’と前記第一のランプ駆動システム１０の電圧検知回路１３０とが異なっている。該電圧検知回路１３０’において、コンデンサＣ１、Ｃ２、Ｃ３によって変圧器回路１１０からランプ群１４０への交流信号を電圧信号に変換し、該電圧信号は半波整流回路Ｄ１の半波整流及び二つのダイオードＤ２、Ｄ３の分離により、保護回路１２０’に送信するための大電圧信号Ｖｏｖｐ及び小電圧信号Ｖｕｖｐに変換される。しかし、上述した回路構成は回路抵抗が高くて妨げになる恐れがあるという課題がある。
【発明の開示】
【発明が解決しようとする課題】
【０００５】
以上の問題点に鑑みて、本発明は、ランプ群に通す交流信号が大き過ぎる又は小さ過ぎるかどうかを検知することができ、且つ出力抵抗がより小さい電圧検知回路を提供することを第一の目的とする。
【０００６】
以上の問題点に鑑みて、本発明は、ランプ群に通す交流信号が大き過ぎる又は小さ過ぎるかどうかを検知することができ、且つ出力抵抗がより小さい放電ランプ駆動システムを提供することを第二の目的とする。
【課題を解決するための手段】
【０００７】
前記第一の目的を達成するために、本発明の実施形態に係る電圧検知回路は、ランプ組に通す交流信号が大き過ぎる又は小さ過ぎるかどうかを検知するために用いられ、電圧取得回路と、それぞれ該電圧取得回路と接続される大電圧検知回路および小電圧検知回路とを備える。前記電圧取得回路は前記ランプ群に通す交流信号を電圧信号に変換するために用いられ、前記大電圧検知回路は、前記電圧信号を介して前記ランプ群に通す交流信号が大き過ぎるかどうかを検知し、該交流信号が大き過ぎる場合に大電圧信号を生成するために用いられ、該大電圧検知回路は、第一トランジスタを備え、該第一トランジスタは第一コントロール電極、第一電極、及び第二電極を有していて、前記第一コントロール電極は前記電圧取得回路に接続され、前記小電圧検知回路は、前記電圧信号を介して前記ランプ群に通す交流信号が小さ過ぎるかどうかを検知し、該交流信号が小さ過ぎる場合に小電圧信号を生成するために用いられ、該小電圧検知回路は、第二トランジスタを備え、該第二トランジスタは第二コントロール電極、第三電極、及び第四電極を有していて、前記第二コントロール電極は前記電圧取得回路に接続されている。
【０００８】
前記第二の目的を達成するために、本発明の実施形態に係る放電ランプ駆動システムは、ランプ群を駆動するために用いられ、上述した電圧検知回路と、入力した直流信号を交流信号に変換するための駆動・スイッチ回路と、該駆動・スイッチ回路と接続されていて、前記交流信号を前記ランプを駆動するための交流信号に変換する変圧器回路と、を備えている。
【発明の効果】
【０００９】
本発明による電圧検知回路は、前記第一トランジスタ及び第二トランジスタを介して大電圧信号又は小電圧信号を生成し、出力抵抗がより小さく、妨げになりにくく、且つ回路の構成が簡単で、コストが安い。
【発明を実施するための最良の形態】
【００１０】
以下図面に基づいて、本発明の実施形態に係る放電ランプ駆動システムを詳細に説明する。
【００１１】
図３を参照して、第一実施形態の放電ランプ駆動システム２０は、ランプ群２４０を駆動するために用いられ、駆動・スイッチ回路２００と、変圧器回路２１０と、保護回路２２０と、電圧検知回路２３０と、を含む。駆動・スイッチ回路２００は、直流信号を方形波である交流信号に変換して該交流信号を出力する。変圧器回路２１０は、駆動・スイッチ回路２００と連結され、駆動・スイッチ回路２００からの交流信号を、ランプ群２４０を駆動するための正弦波である交流信号に変換する。電圧検知回路２３０はランプ群２４０に通す交流信号が大き過ぎるか又は小さ過ぎるか検知するために用いられる。本実施形態において、電圧検知回路２３０は、変圧器回路２１０と連結され、変圧器回路２１０からの交流信号が大き過ぎるか又は小さ過ぎるかを検知し、該交流信号が大き過ぎる場合には大電圧信号を出力し、該交流信号が小さ過ぎる場合には小電圧信号を出力する。保護回路２２０は、電圧検知回路２３０と駆動・スイッチ回路２００との間に接続され、大電圧信号又は小電圧信号によって駆動・スイッチ回路２００を制御するために用いられる。
【００１２】
電圧検知回路２３０は電圧取得回路２３００と、大電圧検知回路２３１０と、小電圧検知回路２３２０と、を含む。電圧取得回路２３００はランプ群２４０に通す交流信号を電圧信号に変換するために用いられる。本実施形態において、電圧取得回路２３００は変圧器回路２１０からの交流信号を電圧信号に変換する。大電圧検知回路２３１０は、電圧取得回路２３００と接続されていて、電圧取得回路２３００からの電圧信号によってランプ群２４０に通す交流信号が大き過ぎるかどうかを検知し、且つ該交流信号が大き過ぎる場合に大電圧信号を出力するために用いられる。小電圧検知回路２３２０は、電圧取得回路２３００と接続されていて、電圧取得回路２３００からの電圧信号によってランプ群２４０に通す交流信号が小さ過ぎるかどうかを検知し、且つ該交流信号が小さ過ぎる場合に小電圧信号を出力するために用いられる。
【００１３】
図４を参照すると、第二実施形態の放電ランプ駆動システム２０’においては、電圧検知回路２３０はランプ群２４０に連結され、他の構成は図３に示す本発明の第一実施形態の放電ランプ駆動システム２０と同じである。本実施形態において、電圧検知回路２３０はランプ群２４０に通す交流信号が大き過ぎる又は小さ過ぎるかどうかを検知するために用いられる。
【００１４】
図５を参照すると、本発明の一実施形態に係る電圧検知回路２３０は、第一コンデンサＣ５、第二コンデンサＣ６、及び半波整流回路Ｄ４を含む。第一コンデンサＣ５は、第一端がランプ群２４０に通す交流信号を受信し、第二端が第二コンデンサＣ６の一端と接続される。図３に示す第一実施形態において、第一コンデンサＣ５は第一端が変圧器回路２１０と接続される。図４に示す第二実施形態において、第一コンデンサＣ５は第一端がランプ群２４０と接続される。第二コンデンサＣ６は第二端が接地される。本実施形態において、半波整流回路Ｄ４は、二つのダイオードを備え、該第一のダイオードの陽極が半波整流回路Ｄ４の第一端として使用され、前記第一のダイオードの陰極が第二のダイオードの陽極と接続され且つ半波整流回路Ｄ４の第二端として使用され、前記第二のダイオードの陰極が半波整流回路Ｄ４の第三端として使用される。半波整流回路Ｄ４は、前記第一端が接地され、前記第二端が前記第一コンデンサＣ５と、第二コンデンサＣ６との間に接続され、前記第三端が大電圧検知回路２３１０及び小電圧検知回路２３２０に接続される。
【００１５】
大電圧検知回路２３１０は第一トランジスタＱ１を備え、該第一トランジスタＱ１は第一コントロール電極、第一電極、及び第二電極を有していて、該第一コントロール電極は電圧取得回路２３００の半波整流回路Ｄ４の前記第三端に接続される。前記第一トランジスタＱ１の前記第一電極には基準電圧Ｖｒｅｆを印加し、前記第二電極は大電圧信号を出力する。本実施形態において、前記第一トランジスタＱ１はＮＰＮ型トランジスタであり、前記第一コントロール電極はベースであり、前記第一電極はコレクタであり、前記第二電極はエミッタである。他の実施形態において、前記第一トランジスタＱ１は他の種類のトランジスタを使用してもよい。他の実施形態において、前記第一コントロール電極は第一電気抵抗Ｒ３を介して電圧取得回路２３００に接続され、前記第一コントロール電極と前記第二電極との間には第二電気抵抗Ｒ４が接続される。前記第一電気抵抗Ｒ３及び第二電気抵抗Ｒ４は電圧を分圧するために用いられる。本実施形態において、前記基準電圧Ｖｒｅｆは１２Ｖに設定される。他の実施形態において、前記基準電圧Ｖｒｅｆは１５Ｖに設定されてもよい。
【００１６】
小電圧検知回路２３２０は第二トランジスタＱ２を備え、該第二トランジスタＱ２は第二コントロール電極、第三電極、及び第四電極を有していて、該第二コントロール電極は電圧取得回路２３００の半波整流回路Ｄ４の前記第三端に接続される。前記第二トランジスタＱ２の前記第四電極は接地していて、前記第三電極は小電圧信号を出力する。本実施形態において、前記第二トランジスタＱ２はＰＮＰ型トランジスタであり、前記第二コントロール電極はベースであり、前記第四電極はコレクタであり、前記第三電極はエミッタである。他の実施形態において、前記第二トランジスタＱ２は他の種類のトランジスタを使用してもよい。他の実施形態において、前記第二コントロール電極は第三電気抵抗Ｒ５を介して電圧取得回路２３００に接続され、前記第二コントロール電極と前記第三電極との間には第四電気抵抗Ｒ６が接続される。前記第一電気抵抗Ｒ５及び第二電気抵抗Ｒ６は電圧を分圧するために用いられる。
【００１７】
ランプ群２４０に通す交流信号は、前記第一コンデンサＣ５、及び前記第一コンデンサＣ６を介して電圧信号に変換された後に、半波整流回路Ｄ４の半波整流作用により直流信号に変換される。ランプ群２４０に通す交流信号が正しい場合、前記第一トランジスタＱ１及び第二トランジスタＱ２は作動せず、大電圧信号又は小電圧信号は生じない。
【００１８】
ランプ群２４０に通す交流信号が大き過ぎる場合、前記第一トランジスタＱ１は作動するが、前記第二トランジスタＱ２は作動しないので、前記第一トランジスタＱ１の前記第二電極は保護回路２２０に大電圧信号を送信する。本実施形態において、前記大電圧信号は直流信号である。
【００１９】
ランプ群２４０に通す交流信号が小さ過ぎる場合、前記第二トランジスタＱ２は作動するが、前記第一トランジスタＱ１は作動しないので、前記第二トランジスタＱ２の前記第三電極は保護回路２２０に小電圧信号を送信する。本実施形態において、前記小電圧信号は直流信号である。
【００２０】
電圧検知回路２３０は、前記第一トランジスタＱ１及び第二トランジスタＱ２を介して大電圧信号又は小電圧信号を生成し、出力抵抗がより小さく、妨げになりにくく、且つ回路の構成が簡単で、コストが安い。
【図面の簡単な説明】
【００２１】
【図１】従来の第一の放電ランプ駆動システムの概略図である。
【図２】従来の第二の放電ランプ駆動システムの概略図である。
【図３】本発明の第一実施形態の放電ランプ駆動システムの概略図である。
【図４】本発明の第二実施形態の放電ランプ駆動システムの概略図である。
【図５】本発明の実施形態にかかる電圧検知回路の構成図である。
【符号の説明】
【００２２】
２０，２０’                    放電ランプ駆動装置
２００                          駆動・スイッチ回路
２１０                          変圧器
２２０                          保護回路
２３０                          電圧検知回路
２３００                        電圧取得回路
２３１０                        大電圧検知回路
２３２０                        小電圧検知回路
Ｃ５、Ｃ６                      コンデンサ
Ｄ４                            半波整流回路
Ｒ３、Ｒ４、Ｒ５、Ｒ６          電気抵抗
Ｑ１、Ｑ２                      トランジスタ
Ｖｒｅｆ                        基準電圧
【図１】
2007185088.tif 000003
【図２】
2007185088.tif 000004
【図３】
2007185088.tif 000005
【図４】
2007185088.tif 000006
【図５】
2007185088.tif 000007